(57)【要約】 【課題】  オイルの漏れを防止し、キャップの離脱を防止するスピンドルモータを提供する。【解決手段】  ロータ部、ステータ部、ストップワッシャ、及びキャップを備えたスピンドルモータにおいて、ロータ部の回転軸を支えるスラスト支持板を覆うキャップを軸受ハウジングに圧入して密着させながら結合させることにより、圧入力によって軸受と軸受ハウジングとの間に隙間をほぼ生じさせることなく結合させ、オイルの漏れを防止し、軸受の圧入力及びキャップそのものの圧入力が二重にかかるようにしてキャップの離脱を防止する。【選択図】    図１
2009127862.tif 000002
【特許請求の範囲】
【請求項１】
下部に小径部を有して中心部に設置された回転軸と、前記回転軸の上端面に連結されたターンテーブルと、前記回転軸の上部に連結されたロータヨークに設置されたマグネットとを備え、前記回転軸の回転によって前記ターンテーブルに載せた光ディスクを回転させるロータ部と、
前記回転軸の外周面を順に囲むラジアル軸受及び軸受ハウジングと、前記軸受ハウジングの外周面に設置されたベースプレートと、前記ベースプレート上で前記マグネットと対向するように設置されたステータコアと、前記回転軸の下端部を支持するスラスト支持板とを備え、前記ロータ部の前記回転軸により前記ロータ部が回転することができるように支持するステータ部と、
前記軸受ハウジングの上部から挿入して下部に圧入し、前記軸受ハウジングの下端部に密着して挟み込まれ、前記軸受ハウジングの下端部を密閉するキャップと、
前記ロータ部の前記回転軸の小径部に挟み込まれ、上面が前記ラジアル軸受の下面と密着し、下面が前記キャップの上面と密着し、前記ステータ部に挟み込まれた前記ロータ部の前記回転軸が前記ステータ部から離脱しないようにするストップワッシャと、
を含むことを特徴とするスピンドルモータ。
【請求項２】
前記キャップは、その外径が大径部と小径部とで構成され、前記軸受ハウジングは前記キャップの大径部と小径部とがそれぞれ前記軸受ハウジングの内周面に圧入され挟み込まれるように前記内周面に第１段差部が形成されることを特徴とする請求項１に記載のスピンドルモータ。
【請求項３】
前記軸受ハウジングは、前記第１段差部の上部に第２段差部が形成され、前記キャップの大径部と前記軸受ハウジングの第２段差部の上面とが互いに接触されないことを特徴とする請求項２に記載のスピンドルモータ。
【発明の詳細な説明】
【技術分野】
【０００１】
本発明は、光ディスクを載せて回転させて作動させるスピンドルモータに関し、より詳細には、スピンドルモータの回転軸の下端部を支持するキャップと、キャップに密着させる軸受ハウジングの形状を改善することにより、キャップの離脱を防止し、軸受ハウジングにキャップを圧入して密着させることが容易にでき、オイルの漏れを防止することのできるスピンドルモータに関するものである。
【背景技術】
【０００２】
光ディスク装置、例えば、ミニディスク（ＭＤ）などに用いられる光ディスク回転用のスピンドルモータなどの分野において、図３に示したようなスピンドルモータが用いられている。図３は、従来の第１の例によるスピンドルモータの断面図である。ディスクを回転させるためのスピンドルモータは、大きく分けて、ロータ部Ｒとステータ部Ｓとで構成される。
【０００３】
図３に示したように、従来の第１の例によるスピンドルモータは、ロータ部Ｒが、マグネット１０１、ロータヨーク１０２、回転軸１０３、及びターンテーブル１０４で構成され、ステータ部Ｓが、軸受１０５、軸受１０５を固定している軸受ハウジング１０６、スラスト方向に回転軸１０３の先端部を支持するためのスラスト支持板１０７、コイル１０８、鉄心１０９、基板１１０、及びベースプレート１１２で構成されている。
【０００４】
このようなスピンドルモータのターンテーブル１０４に対して、ディスク（例えば、ミニディスク）をロードする場合には、光ディスクがターンテーブル１０４に載せられる。光ディスクをターンテーブル１０４から取り出す場合には、ターンテーブル１０４から光ディスクを分離する。このように、光ディスクをターンテーブル１０４から着脱するためには、ロータ部Ｒがステータ部Ｓから軸方向に離脱しないようにするための部材が必要である。
【０００５】
そのため、従来のスピンドルモータにおいては、図３に示したように、ロータ部Ｒの回転軸１０３をステータ部Ｓの軸受１０５に挿入し、回転軸１０３の先端をスラスト支持板１０７により支持させ、スラスト支持板１０７を軸受ハウジング１０６にコーキング（ｃａｌｋｉｎｇ）方式で互いに結合させることにより、スラスト支持板１０７が軸受ハウジング１０６から離脱しないようにしている。
【０００６】
しかし、スラスト支持板１０７と軸受ハウジング１０６とがコーキング方式の固着によってのみ互いに結合されているため、スピンドルモータの動作中、回転軸１０３にかかるスラスト（ｔｈｒｕｓｔ）吸引力が、コーキング方式によって結合されたスラスト支持板１０７と軸受ハウジング１０６との結合力より大きくかかる場合にスラスト支持板１０７が離脱する問題が度々発生し、スラスト支持板１０７の密着力が弱いため軸受のオイルが漏れるという問題も発生している。
【０００７】
一方、特許文献１には前記したようなスラスト支持板の離脱問題を解決するために、図４に示したようなスピンドルモータが提示されている。図４は、従来の第２の例に係るスピンドルモータの断面図である。即ち、図４に示したように、従来の第２の例に係るスピンドルモータは、プレート１１１に軸受ハウジング２０が設置され、軸受ハウジング２０の内周面には、回転軸４０を支持する軸受３０が圧入され、軸受ハウジング２０の外周面にはコア７０が結合され、コア７０にはコイル８０が巻かれる。そして、コア７０は回転軸４０に固定され、ロータヨーク５０はコア７０と一定距離に離隔されて外側に形成され、ロータヨーク５０の内周面には、コア７０と対向するマグネット６０が形成される。また、回転軸４０の上端部にはターンテーブル９０が結合され、回転軸４０の下端部をスラスト支持板１５０が支持しており、スラスト支持板１５０を収容しかつ覆うように、スラスト支持板１５０の離脱を防止するようにしたキャップ１２０が設置されている。
【０００８】
しかし、スラスト支持板１５０の離脱を防止するために、スラスト支持板１５０をキャップ１２０で覆った特許文献１のスピンドルモータにおいても、スラスト吸引力によってスラスト支持板１５０とともにキャップ１２０が離脱するという問題があり、キャップ１２０の密着力が弱く軸受のオイルが漏れるという問題も発生している。
【特許文献１】大韓民国特許公開第２００５−６６０２３号明細書
【発明の開示】
【発明が解決しようとする課題】
【０００９】
本発明は前記したような従来のスピンドルモータの問題点を解決するために案出されたものであって、その主目的は、スピンドルモータにおいてロータ部の回転軸を支えているスラスト支持板にキャップを被せるものの、キャップを軸受ハウジングに圧入して密着させながら結合させることにより、容易に密着させることができ、かつ圧入力によって軸受と軸受ハウジングとの間に隙間をほぼ生じさせることなく結合させることができるため、オイルの漏れを防止し、キャップの上面に密着する軸受の圧入力及びキャップそのものの圧入力を二重に作用させることにより、キャップの上方への離脱を防止するスピンドルモータを提供することにある。
【００１０】
本発明の他の目的は、キャップの外径が大径部と小径部とで構成され、大径部と小径部とが軸受ハウジングの内周面に形成された段差部に圧入かつ密着され、キャップが段差部にかかるようにすることで回転軸が下方へ離脱するような場合にキャップの下方への離脱を防止するようにしたスピンドルモータを提供することにある。
【００１１】
更に本発明の他の目的は、軸受ハウジングの段差部の上部に更に他の段差部を形成して、キャップを軸受ハウジングに挿入して圧入するときに、段差部によってキャップの外周面が段差部上の軸受ハウジングの内周面と接触しないようにすることによって、軸受ハウジングの内径部が変形することを抑制するとともに、軸受ハウジングの内周面に損傷が生じることを防止することができるようにしたスピンドルモータを提供することにある。
【課題を解決するための手段】
【００１２】
前記の目的を達成するための本発明によるスピンドルモータは、中心部に設置され下部に小径部が形成される回転軸と、回転軸の上端面に連結されたターンテーブルと、回転軸の上部に連結されたロータヨークに設置されたマグネットと、を備え、回転軸の回転によってターンテーブルに載せられた光ディスクを回転させるロータ部と、回転軸の外周面を順に囲むラジアル軸受及び軸受ハウジングと、軸受ハウジングの外周面に設置されたベースプレートと、ベースプレート上でマグネットと対向して設置されたステータコアと、回転軸の下端部を支えているスラスト支持板と、を備え、ロータ部の回転軸によってロータ部が回転することができるように支持するステータ部と、ロータ部の回転軸の小径部に挟み込まれ、上面が軸受の下面と密着し、下面がキャップの上面と密着してステータ部に挟み込まれるロータ部の回転軸がステータ部から離脱しないようにするためのストップワッシャと、軸受ハウジングの上部から挿入して下部に圧入し軸受ハウジングの下端部に密着して挟み込まれ、軸受ハウジングの下端部を密閉するようにするキャップと、を含んで構成されることを特徴としている。
【００１３】
また、キャップは、その外径が大径部と小径部とで構成され、軸受ハウジングは、キャップの大径部と小径部とがそれぞれ軸受ハウジングの内周面に圧入されて結合されるように内周面に第１段差部が形成されることが望ましい。
【００１４】
また、軸受ハウジングは第１段差部の上部に第２段差部が形成され、キャップの大径部は、軸受ハウジングの第２段差部の上面において互いに接触されないことが望ましい。
【発明の効果】
【００１５】
本発明のスピンドルモータによると、ストップワッシャによってロータ部がステータ部から離脱することを防止し、キャップを軸受ハウジングに圧入して密着させることにより、容易に密着させることができ、かつ軸受とキャップの圧入力によってキャップの上方への離脱を防止するとともに、圧入し密着させることによってキャップと軸受ハウジングとの間に隙間がほぼできないため、オイルの漏れを防止することができ、製品の品質が向上する効果を奏する。
【００１６】
また、キャップと軸受ハウジングとの間に形成された段差部によってキャップの下方への離脱を防止するとともに、段差部上の軸受ハウジングの内周面に更に他の段差部を形成して、キャップを軸受ハウジングの上部から段差部に挿入して圧入するとき、他の段差部上の軸受ハウジングの内周面とキャップの外周面とが互いに接触しないため、軸受ハウジングの内径部が変形することを抑制することができ、軸受ハウジングの内周面に損傷が生じることを防止することができるため、製品の品質が更に向上するという効果がある。
【発明を実施するための最良の形態】
【００１７】
以下、本発明の望ましい実施例に係るスピンドルモータを、添付の図面を参照して詳細に説明する。
【００１８】
図１は、本発明の第１の実施例によるスピンドルモータの半断面図である（左側と右側とが対称構造であるため、右側の半断面図のみを図示する）。
【００１９】
図示したように、スピンドルモータは、光ディスク、例えば、ミニディスク（ＭＤ）を回転させるためのディスクスピンドルモータである。図１のスピンドルモータは、大きく分けて、モータ部Ｒ、ステータ部Ｓ、ストップワッシャ１０、及びキャップ１２で構成されている。
【００２０】
ロータ部Ｒは、ロータ部Ｒの中心部に設置される回転軸１と、回転軸１の上端部が中心部に形成される穴に挿入されて固定されるターンテーブル３と、ターンテーブル３の下に設置され回転軸１の外周面の上部に固着されたロータヨーク４と、ロータヨーク４の一端の内周面に設置され固定されたマグネット５とで構成されている。回転軸１の最下端部のすぐ上には回転軸１より外径の小さい小径部２が形成されている。ターンテーブル４は、光ディスクをローディングして、例えば、磁気力により駆動させることができ、光ディスクを取り出す際にはターンテーブル４から分離することができるように構成されている。
【００２１】
ステータ部Ｓは、回転軸１の外周面に挟み込まれたラジアル軸受６、ラジアル軸受６の外周面を囲む軸受ハウジング７、軸受ハウジング７の外周面の下部に固着されるベースプレート８、ベースプレート８の上部で軸受ハウジング７の外周面に固着されマグネット５と一定の間隔をおいて対向しているステータコア９、及び回転軸１の下端部を支えているスラスト支持板１１で構成されている。ラジアル軸受６は、回転軸１が回転できるように支持しており、ステータコア９は、鉄心９ａにコイル９ｂが巻かれた形態で構成されている。
【００２２】
ストップワッシャ１０は、ロータ部Ｒの回転軸１の小径部２に挟み込まれており、その上端面はラジアル軸受６の下端面に密着されており、キャップ１２は回転軸１の下端部及びスラスト支持板１１を内側に収容しながら上面がストップワッシャ１０の下端面に密着されている。このとき、キャップ１２は、軸受ハウジング７の上部から挿入して圧入され、軸受ハウジング７の下端部に密着させながら挟み込まれ、このように圧入して密着させることによって、キャップ１２と軸受ハウジング７との間に殆ど隙間を生じさせないようにする。ここで、軸受ハウジング７にラジアル軸受６を下方へ圧入するときは、ラジアル軸受６の下端部がストップワッシャ１０とキャップ１２まで押さえるように圧入する。
【００２３】
このように、本実施例のスピンドルモータは、回転軸１の小径部２に挟み込まれているストップワッシャ１０によってロータ部Ｒがステータ部Ｓから離脱しないようにすると共に、キャップ１２を軸受ハウジング７に圧入して密着させることにより、容易に密着させることができ、隙間が殆どないため、軸受６からオイルが漏れることを防止する。又、キャップ１２自体の圧入力とラジアル軸受６の圧入力とがキャップに二重に作用することにより、キャップ１２の上方への離脱を防止する。
【００２４】
図２は、本発明の第２の実施例によるスピンドルモータの半断面図（左側と右側とが対称構造なので、右側の半断面図のみを図示する）である。
【００２５】
図２にて図示したように、本発明の第２の実施例によるスピンドルモータは、大部分の構成及び組立方法は第１の実施例と同様であるが、キャップの外径に大径部と小径部とを備え、大径部と小径部とが密着するステータ部Ｓの軸受ハウジング７の内周面には第１段差部１３ａが形成され、キャップ１２の外周面に大径部と小径部とで形成された段差部と軸受ハウジング７の内周面に形成された段差部とが互いに合わせられて密着し、第１段差部１３ａの上部、正確にはストップワッシャ１０の上部の軸受ハウジング７の内周面に第２段差部１３ｂが形成されていることが、第１の実施例とは異なる。
【００２６】
このような第１段差部１３ａ及び第２段差部１３ｂによって、軸受ハウジング７には、それぞれ異なるサイズの内径を有することになる。即ち、軸受ハウジング７は、上からラジアル軸受６の外径と接している最も大きなサイズの内径と、キャップ１２の外径の大径部と接している中間サイズの内径、及びキャップ１２の外径の小径部と接している最も小さなサイズの内径を有することになる。
【００２７】
従って、本発明のスピンドルモータが作動するとき、第１段差部１３ａによって、回転軸１の下に作用するスラスト吸引力により回転軸１が下方に離脱しようとした場合に、キャップ１２が下方へ離脱することを防止するだけでなく、第２段差部１３ｂによって、キャップ１２を軸受ハウジング７の上部から挿入して下部に圧入するとき、キャップ１２の外径の大径部が第２段差部１３ｂの上の軸受ハウジング７の内周面とは接触しないため、軸受ハウジングの最も大きなサイズの内径部が変形することを抑制すると共に、軸受ハウジング７の最も大きなサイズの内周面に損傷を生じさせることが防止される。
【００２８】
ここで、互いに接しているキャップ１２と軸受ハウジング７との密着面は、第１段差部１３ａを基準として、上側、即ち、キャップ１２の外径の大径部の密着面は圧入面になり、下側、即ち、キャップ１２の外径の小径部の密着面は挿入面になる。
【００２９】
ところで、図１及び図２に図示した第１及び第２の実施例は、ロータ部Ｒにマグネット５を設置し、ステータ部Ｓにステータコア９を設置する構造で構成されている。しかし、これに限定されず、ロータ部Ｒにステータコア９を設置し、ステータ部Ｓにマグネット５を設置する構造のスピンドルモータについても、本発明を適用することが可能である。また、前述した第１及び第２の実施例では、光磁気ディスクの光磁気記録媒体の記録再生装置、又は、再生装置に適用した例を図示しているが、これに限定されず、他の種類の光ディスク、例えば、コンパクトディスク（ＣＤ）の再生装置等に適用することも可能である。
【００３０】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００３１】
【図１】本発明の第１の実施例によるスピンドルモータの半断面図である。
【図２】本発明の第２の実施例によるスピンドルモータの半断面図である。
【図３】従来の第１の例によるスピンドルモータの断面図である。
【図４】従来の第２の例によるスピンドルモータの断面図である。
【符号の説明】
【００３２】
１    回転軸
２    小径部
３    ターンテーブル
４    ロータヨーク
５    マグネット
６    ラジアル軸受
７    軸受ハウジング
８    ベースプレート
９    ステータコア
９ａ    鉄心
９ｂ    コイル
１０    ストップワッシャ
１１    スラスト支持板
１２    キャップ
１３ａ    第１段差部
１３ｂ    第２段差部
Ｒ    ロータ部
Ｓ    ステータ部
【図１】
2009127862.tif 000003
【図２】
2009127862.tif 000004
【図３】
2009127862.tif 000005
【図４】
2009127862.tif 000006